(57)【要約】【課題】装置自体の小型化を図りながら蓋体に設けられた操作部の操作を行いやすくする。【解決手段】記録媒体の記録及び／又は再生部を有する装置本体と、この装置本体に回動可能に設けられ、上面側に少なくとも一つの操作ボタン４６，４７，４８，４９，５０を備えた操作部が設けられた蓋体とを備える。装置本体には、電池６８を挿入するための開口部６６ａとこの開口部６６ａから挿入される電池６８を収納する収納部６６が設けられるとともに開口部６６ａを開閉する電池蓋６７とが設けられている。収納部６６は、装置本体の下面より下方に向かって突出するように設けられることにより、この収納部６６を設置部として設置することにより、装置全体を傾斜して設置することができ、蓋体に設けた操作部の操作性を向上させる。【選択図】図２５
2008243369.tif 000002
【特許請求の範囲】
【請求項１】
記録媒体の記録及び／又は再生部を有する装置本体と、
上記装置本体に回動可能に設けられ、上面側に少なくとも一つの操作ボタンを備えた操作部が設けられた蓋体とを有し、
上記装置本体には、電池を挿入するための開口部と上記開口部から挿入される電池を収納する収納部が設けられるとともに上記開口部を開閉する電池蓋とが設けられ、上記収納部が上記装置本体の下面より下方に向かって突出するように設けられてなる記録媒体の記録及び／又は再生装置。
【請求項２】
上記開口部は上記装置本体の側面に形成されているととともに、上記電池蓋は上記開口部の一辺を回動端として上記装置本体に回動自在に設けられている
請求項１記載の記録媒体の記録及び／又は再生装置。
【請求項３】
上記蓋体の上面には、更に表示部が設けられている
請求項１記載の記録及び／又は再生装置。
【請求項４】
上記装置は、更に上記蓋体が回動されることによって記録媒体を記録及び／又は再生する位置と上記記録及び／又は再生する位置から離間させる位置との間を移動するホルダとを備えている
請求項１載の記録及び／又は再生装置。
【請求項５】
上記ホルダは、上記記録及び／又は再生部本体に対して回動可能に取り付けられている
請求項４記載の記録媒体の記録及び／又は再生装置。
【請求項６】
上記装置本体は、上記記録及び／又は再生部が配されるベースと上記ベースが取り付けられる枠体と上記枠体の外側に取り付けられる帯状の部材と上記枠体が収納されるハーフとを備え、上記帯状の部材は上記ハーフに対して上記蓋体が閉じた状態で上記蓋体と上記ハーフとの間に位置する
請求項１記載の記録媒体の記録及び／又は再生装置。
【請求項７】
上記枠体には、上記枠体に回動自在に設けられるとともに上記蓋体が取り付けられる少なくとも一つの回動アームと上記蓋体を上記装置本体に対して閉じた位置にロックするロック部が設けられている
請求項６記載の記録媒体の記録及び／又は再生装置。
【請求項８】
上ハーフと下ハーフとを備え記録媒体の記録及び／又は再生部を有する略々直方体状に形成されるとともに、上記下ハーフの隅部の側面に電池を挿入するための開口部が設けられ、上記下ハーフの側面に回動自在に設けられて上記開口部を開閉する電池蓋を有する装置本体と、
記録媒体を上記記録及び／又は再生部に装着する位置と上記記録及び／又は再生部より離間させる位置との間を移動するように上記装置本体に設けられたホルダとを有する記録媒体の記録及び／又は再生装置。
【請求項９】
上記装置本体は、更に記録及び／又は再生部が配されるベースと上記ベースが取り付けられ上記下ハーフに収納される枠体と上記枠体の外側に取り付けられる帯状の部材とを備えている
請求項８記載の記録媒体の記録及び／又は再生装置。
【請求項１０】
上記装置本体は、更に上記枠体の下面側に取り付けられる回路基板を備えている
請求項９記載の記録媒体の記録及び／又は再生装置。
【請求項１１】
上記開口部は、上記下ハーフ内の上記回路基板の位置よりも下側の上記下ハーフの側面に形成されている
請求項１０記載の記録媒体の記録及び／又は再生装置。
【請求項１２】
上記装置は、更に上記装置本体に対して移動自在に設けられ上記ホルダの移動に伴って移動され、上面に少なくとも一つの操作ボタンが設けられた蓋体を備えている
請求項８記載の記録媒体の記録及び／又は再生装置。
【請求項１３】
上記蓋体の上面には、更に表示部が設けられている
請求項１２記載の記録媒体の記録及び／又は再生装置。
【発明の詳細な説明】
【技術分野】
【０００１】
本発明は、情報信号が記録される光ディスク等の記録媒体を用いるディスクプレーヤ等の記録及び／又は再生装置に関する。
【背景技術】
【０００２】
従来、ディスクプレーヤやテープレコーダ、あるいはビデオカメラ等の記録及び／又は再生装置において、携帯可能にまで小型化されたものが用いられている。
【０００３】
この種の携帯可能となされた記録及び／又は再生装置は、機器を構成する部品や電子部品の小型化を図るとともに、各種の部品を収納する空間も小さくすることによって機器全体の小型化を図っている。さらに、装置全体の小型化を図るため、電子部品が実装されて電子回路を構成する電子回路基板を複数に分割し、機器本体に配設される各種の機構部の空間を利用して配設するようにしている。
【０００４】
【特許文献１】特開平８−２４９７８７号公報
【発明の開示】
【発明が解決しようとする課題】
【０００５】
本発明の目的は、装置自体の小型化を図りながら蓋体に設けられた操作部の操作を行いやすくすることができる記録媒体の記録及び／又は再生装置を提供することにある。
【課題を解決するための手段】
【０００６】
本発明に係る記録媒体の記録及び／又は再生装置は、記録媒体の記録及び／又は再生部を有する装置本体と、この装置本体に回動可能に設けられ、上面側に少なくとも一つの操作ボタンを備えた操作部が設けられた蓋体とを備える。装置本体には、電池を挿入するための開口部とこの開口部から挿入される電池を収納する収納部が設けられるとともに開口部を開閉する電池蓋とが設けられている。収納部は、装置本体の下面より下方に向かって突出するように設けられることにより、この収納部を設置部として設置することにより、装置全体を傾斜して設置することができ、蓋体に設けた操作部の操作性を向上させることができる。
【０００７】
装置本体に設けられる電池挿入用の開口部は、装置本体の側面に形成される。この開口部を開閉する電池蓋は、開口部の一辺を回動端として装置本体に回動自在に設けられている。
【０００８】
本発明に係る記録媒体の記録及び／又は再生装置は、更に蓋体が回動されることによって記録媒体を記録及び／又は再生する位置とこの記録及び／又は再生する位置から離間させる位置との間を移動するホルダとを備えている。このホルダは、装置本体に対して回動可能に取り付けられている。
【０００９】
さらに、本発明に係る記録媒体の記録及び／又は再生装置は、上ハーフと下ハーフとを備え記録媒体の記録及び／又は再生部を有する略々直方体状に形成されるとともに、下ハーフの隅部の側面に電池を挿入するための開口部が設けられ、下ハーフの側面に回動自在に設けられて上記開口部を開閉する電池蓋を有する装置本体と、記録媒体を記録及び／又は再生部に装着する位置と記録及び／又は再生部より離間させる位置との間を移動するように装置本体に設けられたホルダとを有する。この装置本体は、更に記録及び／又は再生部が配されるベースとこのベースが取り付けられ下ハーフに収納される枠体とこの枠体の外側に取り付けられる帯状の部材とを備えている。さらに、装置本体には、枠体の下面側に取り付けられる回路基板が設けられる。
【００１０】
この装置は、更に装置本体に対して移動自在に設けられホルダの移動に伴って移動され、上面に少なくとも一つの操作ボタンが設けられた蓋体を備えている。この蓋体の上面には、更に表示部が設けられる。
【発明の効果】
【００１１】
本発明に係る記録媒体の記録及び／又は再生装置は、電池を収納する収納部が、装置本体の下面より下方に向かって突出するように設けられる。したがって、この収納部を設置部として設置することにより、装置全体を傾斜して設置することができ、蓋体に設けた操作部の操作性を向上させることができる。
【発明を実施するための最良の形態】
【００１２】
以下、本発明に係る記録媒体の記録及び／又は再生装置を図面を参照して説明する以下に説明する例は、本発明を情報信号が記録される記録媒体である光ディスクを記録媒体に用い、この光ディスクに記録されたオーディオ信号等の情報信号を再生するディスクプレーヤに適用したものである。
【００１３】
本発明が適用されたディスクプレーヤの説明に先立って、このディスクプレーヤの記録媒体として用いられるディスクカートリッジを説明する。
【００１４】
本発明が適用されたディスクプレーヤに用いられるディスクカートリッジには、予めオーディオ信号等の情報信号が記録され専ら再生専用にのみ用いられる光ディスクを収納したものと、オーディオ信号等の情報信号の再記録を可能とした記録再生型の光磁気ディスクを収納したものが用いられる。
【００１５】
再生専用型の光ディスク２０１を収納したディスクカートリッジ２０２は、図１及び図２に示すように、上下一対のハーフ２０３，２０４を互いに突き合わせ結合して構成したカートリッジ本体２０５を備える。このカートリッジ本体２０５は、光ディスク２０１の外周径を内接円とするような大きさの矩形状に形成され、その内部に構成したディスク収納部に光ディスク２０１を回転自在に収納している。
【００１６】
カートリッジ本体２０５を構成する下ハーフ２０４の中央部には、このカートリッジ本体２０５に収納された光ディスク２０１を回転駆動させるためのディスクプレーヤ側に設けられるディスクテーブルが進入する中央開口部２０６が形成されている。この中央開口部２０６には、光ディスク２０１をディスクテーブルにクランプさせるために光ディスク２０１の中心部に設けられたハブ２０７が臨まされる。
【００１７】
下ハーフ２０４には、図２に示すように、光ディスク２０１の一部を径方向に亘って外方に臨ませる再生用の開口部２０８が設けられている。この開口部２０８は、中央開口部２０６に近接した位置からカートリッジ本体２０５の一側面に亘って形成されている。光ディスク２０１の一部が外方に臨まされる再生用の開口部２０８には、このディスクカートリッジ２０２をディスクプレーヤに装着したとき、ディスクプレーヤ側に設けられる光ピックアップ装置が臨まされる。
【００１８】
カートリッジ本体２０５には、再生用の開口部２０８を開閉するシャッタ２０９が取り付けられている。このシャッタ２０９は、基端部に設けたスライドガイド部２０９ａをカートリッジ本体２０５の一側面に設けたスライドガイド溝２１０に係合させ、再生用の開口部２０８を開閉する図２中矢印Ａ方向及び矢印Ｂ方向に移動可能に取り付けられている。シャッタ２０９は、開口部２０８を閉塞する位置にあるとき、カートリッジ本体２０５内に設けられたシャッタロック部材にロックされ、開口部２０８を閉塞した位置に保持される。開口部２０８を閉塞した位置に保持されたシャッタ２０９は、このディスクカートリッジ２０２がディスクプレーヤに挿入されるとき、スライドガイド溝２１０に進入するディスクプレーヤ側に設けられたシャッタ開放部材によりシャッタロック部材によるロックが解除され、このシャッタ開放操作部材により押圧操作されて図２中矢印Ａ方向に移動されて開口部２０８を開放する。
【００１９】
したがって、ここに示すディスクカートリッジ２０２は、シャッタ２０９がスライドするカートリッジ本体２０５の一側面に直交する面を挿入端としてディスクプレーヤへの挿脱が行われる。
【００２０】
また、下ハーフ２０４側には、このディスクカートリッジ２０２をディスクプレーヤに装着したとき、ディスクプレーヤ側に設けられた位置決めピンが係合する一対の位置決め孔２１１，２１２が設けられている。一対の位置決め孔２１１，２１２は、再生用の開口部２０９の両側に位置して設けられ、これら位置決め孔２１１，２１，に位置決めピンが係合することにより、ディスクカートリッジ２０２は、ディスクプレーヤ内のカートリッジ装着部に水平方向の位置決めが図られて装着される。
【００２１】
さらに、下ハーフ２０４のシャッタ２０９が取り付けられる側と対向する他側面側には、カートリッジ本体２０２に収納されるディスクの種別を表示する複数のディスク識別孔２１３が設けられている。
【００２２】
さらにまた、カートリッジ本体２０５のディスクプレーヤへの挿入端側の両側には、このディスクカートリッジをディスク交換機能付きのディスクプレーヤに装着するとき、ディスク交換機構の一部を係合させるための係合凹部２１４，２１５が設けられている。さらに、カートリッジ本体２０５のディスクプレーヤへの挿入端側には、ディスク記録及び／又は再生装置側に設けられるディスクカートリッジの種別を判別機構による判別を可能となす凹状のカートリッジ判別部２１６が設けられている。
【００２３】
再生専用型の光ディスク２０１を収納したディスクカートリッジ２０２は、図１に示すように、上ハーフ２０３側は閉塞された状態にある。これは、光ピックアップ装置と共同して情報信号の記録を行う磁気ヘッド装置を用いる必要がないためである。
【００２４】
一方、オーディオ信号等の情報信号の再記録を可能とした記録再生型の光磁気ディスク２２１を収納したディスクカートリッジ２２２は、図３及び図４に示すように、前述した再生専用型の光ディスク２０１を収納したディスクカートリッジ２０２と基本的構成を略々共通にして構成されている。このディスクカートリッジ２２２を図３及び図４を参照して説明する。なお、再生専用型の光ディスク２０１を収納したディスクカートリッジ２０２と共通する部分には、共通の符号を付して詳細な説明は省略する。
【００２５】
記録再生型の光磁気ディスク２２１を収納したディスクカートリッジ２２２は、下ハーフ２０４側に設けられる記録再生用の開口部２２８に対応して上ハーフ２０３側に光ピックアップ装置と共同して情報信号の記録を行う磁気ヘッド装置が進入する記録用の開口部２２９が設けられている。このディスクカートリッジ２２２に取り付けられるシャッタ２３０は、カートリッジ本体２０５の上下両面に設けられた開口部２２８，２２９を同時に開閉し得るように断面コ字状に形成され、基端部側に設けたスライドガイド片２３０ａをスライドガイド溝２１０に係合させ、各開口部２２８，２２９を開閉する図４中矢印Ａ方向及び矢印Ｂ方向にスライド可能に取り付けられている。
【００２６】
上述のように構成された再生専用型のディスクカートリッジ２０２又は記録再生型のディスクカートリッジ２２２が記録媒体として用いられる本発明に係るディスクプレーヤは、図５及び図６に示すように、装置本体を構成する下ハーフ６２と、下ハーフ６２の開放部側を開閉する蓋体を構成する上ハーフ４４とを有する筐体１５１を備える。この筐体１５１内には、図７に示すように、矩形状をなす枠体２２が配設される。
【００２７】
装置本体を構成する下ハーフ６２は、図７、図８、図９及び図１０に示すように、上面側を開放した矩形状をなす筐体状に形成されている。下ハーフ６２の開放された上面側は、下ハーフ６２内に配設されるディスク再生部に装着されるディスクカートリッジ２０２又は２２２が挿脱される部分となる。下ハーフ６２の開放された上縁側には、下ハーフ６２の前面側からこの前面側に直交する相対向する両側に亘って、図７に示すように、コ字状に形成された幅狭で長尺な帯状の部材３２が配設される。
【００２８】
帯状の部材３２は、合成樹樹脂を成形して形成されてなるものであって、図１１及び図１２に示すように、下ハーフ６２の前面側に対向する前面壁３２ａと、この前面壁３２ａの両端から前面壁３２ａに直交する方向に延長するように形成された一対の側壁３２ｂ，３２ｃとからなり、全体をもって略コ字状に形成されている。このように略コ字状に形成された帯状の部材３２は、前面壁３２ａに対向する背面側が開放されているので、容易に撓み変形することができる。特に、一対の側壁３２ｂ，３２ｃは、容易に撓み変形することができる。また、帯状の部材３２は、合成樹脂により形成されているので、変形されても元の形状に容易に復元できる。この帯状の部材３２は、図１２に示すように下端側の周縁に形成した係止段部３２ｄを下ハーフ６２の開放された上縁側に係合されるようにして下ハーフ６２に支持される。
【００２９】
筐体１５１を構成する下ハーフ６２内に配設される枠体２２は、図１０に示すように下ハーフ６２の前面壁６２ａの両側に穿設されたネジ挿通孔１３３，１３３を介して挿通される図示しない固定ネジが図１６に示すように前面壁２２ａの両側に穿設したネジ孔１３３ａ，１３３ａが螺合されることにより下ハーフに６２に固定される。この枠体２２は、図７及び図１３に示すように、ステンレスの如き薄い金属板を折り曲げて矩形状に形成されている。枠体２２は、前面壁２２ａ側からこの前面壁２２ａに直交する相対向する両側壁２２ｂ，２２ｃ側に亘って略コ字状をなす帯状の部材３２により囲まれるようにしてこの帯状の部材３２内に配設される。
【００３０】
ところで、帯状の部材３２を構成する一対の側壁３２ｂ，３２ｃの端部には、図１１に示すように、前面壁３２ａと平行になるように折り曲げられた突出片３６，３７が形成されている。これら突出片３６，３７には、枠体２２の背面壁２２ｄに図１３に示すように突設した係止突起２２ｅ，２２ｆに係合される係合孔３６ａ，３７ａが図７に示すように穿設されている。帯状の部材３２は、枠体２２の前面壁２２ａから両側壁２２ｂ，２２ｃ側に亘る外周側に配設され、係合突起２２ｅ，２２ｆを係合孔３６ａ，３７ａに係合させ、図１２に示すように前面壁３２ａの両側に穿設した係合孔３２ｄ，３２ｅが枠体２２の前面壁２２ａの両側であってネジ孔１３３ａ，１３３ａの近傍に突設した係合突起１３３ｂ，１３３ｂに係合して枠体２２に支持される。
【００３１】
このように帯状の部材３２は、下ハーフ６２上に嵌合される如く配設され、枠体２２の係合突起２２ｅ，２２ｆ及び１３３ｂ，１３３ｂに係合孔３６ａ，３７ａ及び３２ｄ，３２ｅを係合させて支持されているのみであるので、帯状の部材３２に衝撃が加えられたような場合に、帯状の部材３２のみが変形しながら係合孔３６ａ，３７ｂ及び３２ｄ，３２ｅと係止突起２２ｅ，２２ｆ及び１３３ｂ，１３３ｂとの相対係合が外れ、枠体２２に衝撃が加わることが緩和される。すなわち、帯状の部材３２に衝撃等が加えられて変形した場合に、帯状の部材３２と枠体２２とが相対移動することによって、枠体２２及びこの枠体２２が支持される下ハーフ６２に直接衝撃が加わることが防止され、枠体２２に取り付けられるベース板１等の部材に大きな衝撃が加わることが防止される。
【００３２】
上述のように帯状の部材３２に支持される枠体２２の左右の側面壁２２ｂ，２２ｃには、図７、図１４及び図１５に示すように、左右一対の回動アーム２４，２６が設けられている。これら回動アーム２４，２６は、基端側に穿設した枢支孔２３ａ，２５ａを枠体２２の側面壁２２ｂ，２２ｃの背面壁２２ｄ側に支軸２３，２５に枢支させることによって、これら支軸２３，２５を中心に回動可能に支持されている。これら回動アーム２４，２６には、支軸２３，２５を中心とする円弧状のスリット１１９，１２２が穿設されている。これら円弧状のスリット１１９，１２２には、枠体２２の側面壁２２ｂ，２２ｃの上端縁に突設された回動規制突片１２０，１２３が係合される。すなわち、各回動アーム２４，２６は、図１４及び図１５中矢印Ｃ方向の枠体２２から離間する方に回動されたとき、回動規制突片１２０，１２３により回動位置が規制される。
【００３３】
各回動アーム２４，２６の基端部側には、図１４及び図１５に示すように、先端側の側面に外方側に向かって突出する突出部１２５ａ，１２７ａが形成されたバネ片１２５，１２７が形成されている。これらバネ片１２５，１２７は、回動アーム２４，２６が枠体２２側に回動されたとき、突出部１２５ａ，１２７ａが枠体２２の側壁２２ｂ，２２ｃに設けられた係合孔１２６，１２８に係合し、回動アーム２４，２６の自由な可動を規制する。各バネ片１２５，１２７は、各回動アーム２４，２６が図１４及び図１５中矢印Ｃ方向の枠体２２から離間する方に回動されるとき、枠体２２の内方に向かって弾性変位されて、突出部１２５ａ，１２７ａを係合孔１２６，１２８から離脱させる。
【００３４】
上述のように枠体２２に回動自在に取り付けられた一対の回動アーム部２４，２６には、蓋体を構成する上ハーフ４４が、下面部の両側を図示しない複数のネジにより固定されて取り付けられる。上ハーフ４４は、下ハーフ６２内に配設される枠体２２に回動可能に支持された回動アーム２４，２６に取り付けられることにより、回動アーム２４，２６と一体に支軸２３，２５を中心にして回動され、下ハーフ６２の開放された上面側を開閉する。
【００３５】
上ハーフ４４は、下ハーフ６２の上面側を閉塞するように回動され、図５に示すように下ハーフ６２に突き合わせられることにより筐体１５１を構成し、枠体２２を上下より覆う。なお、上ハーフ４４及び下ハーフ６２は、導電性を有する軽量な金属であるアルミニウム等の金属を用いて形成される。
【００３６】
下ハーフ６２内に配設される枠体２２の外周囲を囲むように配設される帯状の部材３２は、上ハーフ４４が下ハーフ６２に対して突き合わせられたとき、図１７に示すように、これら上ハーフ４４及び下ハーフ６２の間に介在される。このように、上ハーフ４４及び下ハーフ６２の間に、変形可能な帯状の部材３２が介在されることにより、筐体１５１に衝撃が加えられたとき、帯状の部材３２が変形することにより衝撃が吸収され、損傷を受けることが防止することが可能となる。
【００３７】
上ハーフ４４は、下ハーフ６２の開放された上面側を閉塞するように下ハーフ６２側に回動されたとき、ロック機構を介して枠体２２にロックされる。枠体２２の前面壁２２ａには、図１６に示すように、ロックレバー１３０がスライド可能に設けられている。このロックレバー１３０は、枠体２２の上方側に突出するようにロック片２９が設けられている。上ハーフ４４の前面側の略中央部には、図６に示すように、ロック片２９に係合する係合片１４０が設けられている。ロックレバー１３０は、ロック片２９に係合片１４０が係合することにより上ハーフ４４を下ハーフ６２に突き合わせ、下ハーフ６２の開放された上面側を閉塞した図５に示す状態に保持する。ロックレバー１３０には、一端側に摘み取り付け片１２９が設けられている。この摘み取り付け片１２９には、図１２に示すように、帯状の部材３２の前面壁３２ａに沿ってスライドするスライド摘み３３が取り付けられる。ロックレバー１３０は、枠体２２の前面壁２２ａとの間に張架された引っ張りコイルバネ１３１により、ロック片２９を係合片１４０に係合させる図１６中矢印Ｄ方向に付勢している。
【００３８】
なお、ロックレバー１３０の摘み取り付け片１２９は、枠体２２の前面壁２２ａの一部を切り欠いて形成した挿通穴３０を介して、この前面壁２２ａに重ね合わせられる帯状の部材３２の前面壁３２ａ側に突出されている。
【００３９】
ロックレバー１３０は、スライド摘み３３を把持し引っ張りコイルバネ１３１の付勢力に抗して、図１６中反矢印Ｄ方向にスライドされることにより、ロック片２９の係合片１４０に対する係合を解除し、上ハーフ４４を下ハーフ６２側から離間する方向に回動することを可能となす。
【００４０】
下ハーフ６２内に位置するように配設される枠体２２の下面側には、図７に示すように、枠体２２の平面形状とほぼ等しい大きさの矩形状に形成された主回路基板を構成する剛性を有する第１の回路基板３８が取り付けられる。この第１の回路基板３８には、剛性を有する絶縁基板に配線パターンを形成し、所定の電子回路部品４０を実装することにより、このディスクプレーヤを制御する制御回路等の電子回路が構成する。配線パターンの一部には、アース電位部に接続されるアース端子が設けられ、このアース端子を介して電子回路が接地される。
【００４１】
ところで、矩形状に形成された第１の回路基板３８は、図１３に示すように、枠体２２のコーナ部、前面壁２２ａ，各側壁２２ｂ，２２ｃ及び背面壁２２ｄの下端縁側に突設された回路基板取り付け片１０４，１０５，１０６，１０７，１１１に周縁をネジにより固定され、枠体２２の下面側を閉塞するようにして取り付けられる。第１の回路基板３８を枠体２２に取り付けるネジは、第１の回路基板３８に穿設されたネジ挿通孔に挿通され、回路基板取り付け片１０４，１０５，１０６，１０７，１１１に穿設したネジ孔に螺合されることにより、第１の回路基板３８を枠体２２に固定する。
【００４２】
第１の回路基板３８は、枠体２２の下面側に取り付けられることにより、枠体２２とともに下ハーフ６２内に配設される。
【００４３】
容易に撓み変形する薄い金属板を折り曲げて矩形状に形成された枠体２２は、下面側を覆うように剛性を有する第１の回路基板３８が取り付けられることにより、容易に撓み変形することが防止され、十分な機械的な強度を有するものとなる。
【００４４】
枠体２２に取り付けられた第１の回路基板３８の底面側には、図７に示すように、このディスクプレーヤを駆動する電源を供給する二次電池６８が収納される電池収納部を構成する電池保持枠４１が取り付けられる。電池保持枠４１は、図７に示すように、金属板をコ字状に折り曲げて形成され、一端側から取り付けアーム４２が延長されている。取り付けアーム４２の先端側には、ネジ挿通孔４３ａが穿設された固定片４３が設けられている。この電池保持部材４１は、一端側の開口端側を第１の回路基板３８の一側側に臨ませ、上縁を第１の回路基板４８に突き当て、固定片４３のネジ挿通孔４３ａに挿通される固定ネジにより第１の回路基板３８に固定される。
【００４５】
電池保持枠４１の一端側には、電池保持枠４１に挿入される二次電池６８の挿入をガイドする電池挿入口６７ａを有するガイド部材６７ｂが配設される。このガイド部材６７ｂは、合成樹脂により形成され、第１の回路基板３８の底面側に固定ネジにより固定されて取り付けられる。
【００４６】
なお、第１の回路基板３８には、図示しないが、この回路基板３８に取り付けられた電池保持枠４１に対向して、この電池保持枠４１に挿入される二次電池６８の端子が電気的に接触する端子板が取り付けられている。この端子板は、第１の回路基板３８に構成される電源回路に電気的に接続されている。
【００４７】
上述のように第１の回路基板３８の底面側に取り付けられた電池保持枠４１及びガイド部材６７ｂは、第１の回路基板３８が枠体２２に取り付けられ、枠体２２とともに下ハーフ６２内に収納されたとき、図５、図６及び図７に示すように、下ハーフ６２の平面側に下方に向かって膨出するように形成された電池収納部６６に配置される。このとき、ガイド部材６７ｂは、下ハーフ６２の側面に形成した電池挿脱口６６ａに嵌合される。
【００４８】
そして、ガイド部材６７ｂの電池挿入口６７ａの一側に基端部が支持されて電池挿脱口６６ａを開閉する電池蓋６７が回動可能に取り付けられている。電池挿入口６７ａを介して電池保持枠４１に挿入された二次電池６８は、電池蓋６７が電池挿入口６７ａを閉塞することにより電池収納部６６からの脱落が防止され、下ハーフ６２内に保持される。
【００４９】
ここで、用いられる二次電池６８は、充電可能なＮｉーＣｄ電池やリチウムイオン電池等が用いられ、図６に示すように長尺な直方体状に形成されている。
【００５０】
また、下ハーフ６２の底面側に膨出するように形成された電池収納部６６は、このディスクプレーヤを机上等の接地面に接地したとき、背面側を高くし、上ハーフ４４の表面が傾斜するように支持する支持部となる。
【００５１】
上述のように第１の回路基板３８が底面側に取り付けられる枠体２２には、第１の回路基板３８上に位置するようにしてディスク再生部が設けられるベース板１が取り付けられる。ベース板１は、ここに示すディスクプレーヤに装着される図１及び図２に示す再生専用側のディスクカートリッジ２０２又は図３及び図４に示す記録再生型のディスクカートリッジ２２２の平面形状と略々等しい大きさを有する平板な矩形状に形成されている。ベース板１は、軽量で十分な機械的な強度を有するマグネシウムダイカストにより形成されている。
【００５２】
ベース板１は、図１３に示すように、枠体２２の一方の側壁２２ｃ及び背面壁２２ｄから枠体２２の内方に向かって突設された支持片１０２，１０３に植立するように取り付けられた図示しない支持軸に支持され、支持片１０２及び各側壁２２ｂ，２２ｃと背面壁２２ｄから枠体の内方に向かって突設された突片９０ａ，１００ａ，１０１ａにそれぞれ取り付けられた４個のダンパ８０，９０，１００，１０１により下面側を支持されている。そして、ベース板１は、各ダンパ８０，９０，１００，１０１が変位できる範囲で支持軸の軸方向に変位可能となされている。
【００５３】
枠体２２に支持されたベース板１の上面側には、このディスクプレーヤに装着されるディスクカートリッジ２０２又は２２２が挿入保持されるホルダ１６が配設される。ホルダ１６は、図７に示すように、ベース板１の背面側の両側に立ち上がり形成された支持片９ａ，１０ａの相対向する面に突設された一対の支軸９，１０に基端側の両側に穿設した枢支孔１７を枢支することにより支軸９，１０を中心にベース板１に対して近接離間する方向に回動可能に支持される。このホルダ１６は、支軸９，１０を中心に回動されるとき、上ハーフ４４と連動して回動し得るように上ハーフ４４に関連されている。
【００５４】
上ハーフ４４が取り付けられた回動アーム２４，２６の先端側には、図１４及び図１５に示すように、ホルダ１６の先端側の両側に設けた図示しない被係合片が係合する係合片１２１，１２４が設けられている。ホルダ１６は、上ハーフ４４が回動アーム２４，２６と一体に支軸２３，２５を中心に下ハーフ６２から離間する図６中矢印Ｃ方向に回動されるとき、被係合片が係合片１２１，１２４に係合することにより上ハーフ４４とともに回動される。このとき、ホルダ１６は、下ハーフ６２内に配設された枠体２２に支持されたベース板１に対して１８°乃至２２°の範囲で図６中矢印Ｃ方向に回動される。
【００５５】
ホルダ１６は、上ハーフ４４が下ハーフ６２の開放された上面側を閉塞する図６中矢印Ｅ方向に回動されていくと、被係合片の係合片１２１，１２４に対する係合が解除され、上ハーフ４４が下ハーフ６２の開放された上面側を閉塞する位置まで回動されると、ベース板１上に載置される状態となる。
【００５６】
枠体２２の一方の側壁２２ｃの略々中央部に位置して、図１４に示すように、第１の回路基板３８上に設けられる上ハーフ４４の閉蓋完了を検出する閉蓋検出スイッチを押圧する操作レバー１１２が設けられている。この操作レバー１１２は、側壁２２ｃに植立された支軸１１８を介して回動可能に支持され、側壁２２ｃに取り付けられた捻りコイルバネ１１３により図１４中矢印Ｆ方向に回動付勢されるとともに、回動規制ピン１１２ａにより回動位置が規制されている。操作レバー１１２は、上ハーフ４４が下ハーフ６２の開放された上面側を閉塞する位置に回動され、一端側の被押圧部１１５が上ハーフ４４を取り付けた回動アーム２４により押圧されと、捻りコイルバネ１１３の付勢力に抗して図１４中反矢印Ｆ方向に回動され、他端側のスイッチ操作部１１６で第１の回路基板３８上に設けられた閉蓋検出スイッチを押圧する。この閉蓋検出スイッチは、第１の回路基板３８上に設けられる後述する制御回路に接続されている。
【００５７】
また、枠体２２の左右の両側壁２２ｂ，２２ｃの前面壁２２ａ側には、図１８に示すように、枠体２２の内方に向かって突起１０８，１０９，１１０が膨出形成されている。これら突起１０８，１０９，１１０は、回動アーム２４，２６が下ハーフ６２側に回動されるとき、係合片１２１，１２４が設けられた先端側の側面を支持し、下ハーフ６２内に円滑に進入するようにガイドする。
【００５８】
そして、上ハーフ４４の内面側には、図７に示すように、可撓性を有するフレキシブルプリント回路基板を用いた第２の回路基板５３が取り付けられている。この第２の回路基板５３は、上ハーフ４４の内面側にネジ止めにより取り付けられるシールド板５１に貼り付けられ、このシールド板５１と上ハーフ４４とに挟まれた状態で支持されている。シールド板５１は、第２の回路基板５３のアース電位部に接続されている。また、シールド板５１上には、図１９に示すように、第２の回路基板５３に電気的に接続された液晶表示（ＬＣＤ）パネル５２が取り付けられている。このＬＣＤパネル５２は、図５及び図６に示すように、上ハーフ４４に設けられた開口部４５を介して、上ハーフ４４の外方側に表示面を臨ませている。このＬＣＤパネル５２は、このディスクプレーヤの動作に関連した種々の情報を表示する。
【００５９】
第２の回路基板５３上には、図７に示すように、複数のダイヤフラムスイッチ５６，５７，５８，５９，６０，６１が設けられている。これらダイヤフラムスイッチ５６，５７，５８，５９，６０，６１は、図２０及び図２１に示すように、上ハーフ４４の上面側に設けられた複数の操作ボタン４６，４７，４８，４９，５０の裏面側に突設した突起７４，７５，７６，７７，７８，７９によって押圧操作される。これら操作ボタン４６，４７，４８，４９，５０は、ボリュームの調整用ボタン、プレイモード開始ボタン、停止ボタン、順方向スキップボタン及び逆方向スキップボタン等として機能する。
【００６０】
そして、第１の回路基板３８上には、下ハーフ６２に設けられた電池収納部６６に収納される充電可能な二次電池６８又は下ハーフ６２の背面壁側に取り付けられる電池ホルダに収納された単三の一次電池からの電源の供給を受けて駆動される制御回路及びオーディオ回路が設けられている。制御回路には、第２の回路基板５３が接続されている。そして、この制御回路は、各ダイヤフラムスイッチ５６，５７，５８，５９，６０，６１が操作されることによって入力される入力信号に応じて、後述するようにベース板１に組み込まれるディスク再生部を駆動制御する。また、オーディオ回路は、制御回路の制御に基づき、ディスクカートリッジ２０２又は２２２から読み出されたデジタル信号である情報信号をアナログ信号に変換したオーディオ信号としてジャック部３９に出力する。オーディオ信号は、ジャック部３９に接続されるイヤホンやヘッドホンに供給され、イヤホンやヘッドホンを駆動することによって音響として聴取される。
【００６１】
ジャック部３９は、図７に示すように第１の回路基板３８上に取り付けられている。このジャック部３９は、先端側を第１の回路基板３８が取り付けられる枠体２２の前面壁２２ａに図１６に示すように穿設された切り欠き穴３１に挿通し、図６に示すように枠体２２の前面壁２２ａに重ね合わせられる帯状の部材３２の前面壁３２ａに穿設した開口部３４に臨まされている。
【００６２】
ジャック部３９には、並列して遠隔操作装置の接続プラグが接続されるコネクタ３９ａが設けられている。このコネクタ３９ａも枠体２２の前面壁２２ａに穿設された切り欠き穴３１及び帯状の部材３２の前面壁３２ａに穿設した開口部３４を介して筐体１５１の外方に臨まされている。
【００６３】
ところで、帯状の部材３２の前面壁２２ａの開口部３４が穿設される部分及びロックレバー１３０を操作するスライド摘み３３が配設される部分は、図１２に示すように、下方側に向かって突出する突出部３４ａ，３３ａとなされている。これら突出部３４ａ，３３ａは、帯状の部材３２を枠体２２の外周囲に亘って配設したとき、図１０に示すように枠体２２の前面壁２２ａの上縁側に形成した凹状の嵌合凹部６４，６５に図６に示すようにそれぞれ嵌合される。
【００６４】
また、下ハーフ６２の前面壁６２ａ側には、一旦選択された操作モードや操作状態を保持するホールドスイッチ６３ａを操作するホールド摘み６３が設けられている。このホールド摘み６３は、第１の回路基板３８に実装されたホールドスイッチ６３ａの操作子６３ｂに取り付けられ、下ハーフ６２の前面に沿ってスライドされることによりホールドスイッチ６３ａを切り換え操作する。ホールドスイッチ６３ａの操作子６３ｂは、枠体３２の前面壁３２ａ及び帯状の部材３２の前面壁２２ａの下側縁側に形成した凹部を介して下ハーフ６２の前面側に突出される。
【００６５】
さらに、下ハーフ６２の背面壁６２ｂ側には、図８に示すように、第１の回路基板３８上に設けられた接続端子を外方側に臨ませるための貫通孔１３２，１３２が設けられている。これら貫通孔１３２，１３２の中間位置には、下ハーフ６２の背面壁６２ｂ側に取り付けられる単三の一次電池を収納した電池ホルダを固定するためのネジ孔１３４が設けられている。
【００６６】
電池ホルダは、下ハーフ６２の背面壁６２ｂに突き合わせられる面に突設された陽極端子及び陰極端子を貫通孔１３２，１３２に挿通して各接続端子に接触させ、このホルダに設けられた取付ネジをネジ穴１３４に螺合させることによって下ハーフ６２に取り付けられる。
【００６７】
また、上ハーフ４４の内面側に配設される第２の回路基板５３を支持するシールド板５１には、図２２に示すように、アース用部材である導電板１３８が電気的に接続された状態で取り付けられている。この導電板１３８は、導電性を有する金属板により形成され、上ハーフ４４の一側に沿って配置される。この導電板１３８には、図２３に示すように、シールド板５１に穿設された係合孔１３６に係合する係合爪１３７が設けられている。導電板１３８は、係合爪１３７を係合孔１３６に係合させた状態で、シールド板５１の下面側に接着剤等を用いて貼り付けられている。
【００６８】
導電板１３８には、上ハーフ４４の下面側に配設されるホルダ１６を押圧するバネ部１３９が設けられている。この導電板１３８は、バネ部１３９が図２２に示すようにホルダ１６の上面側に圧接することによりホルダ１６に電気的に接続される。すなわち、このディスクプレーヤは、図２４に示すように、上ハーフ４４側に配設されるＬＣＤパネル５２が、導電板１３８、導電性に金属材料により形成されたホルダ１６及び導電性の金属材料により形成された枠体２２を介して第１の回路基板３８のアース電位部に電気的に接続されている。また、第１の回路基板３８のアース電位部は、電池収納部に設けられる二次電池６８の陰極端子が接触するアース電位部となされた接続端子に接続されている。そして、導電板１３８は、バネ部１３９の付勢力により、上ハーフ４４を下ハーフ６２の開放された上面側から離間させる方向に付勢している。
【００６９】
さらに、導電板１３８には、図２３に示すように、ホルダ１６に保持されるディスクカートリッジ２０２，２２２を下ハーフ６２内に配設されたベース板１側に押圧する押圧バネ５４，５５が形成されている。
【００７０】
上ハーフ４４の下ハーフ６２と対向する内面側の導電板１３８が配設される側と対向する他側に位置して、図２１に示すように、ホルダ１６に保持されるディスクカートリッジ２０２，２２２をベース板１側に押圧する押圧バネ７２がネジ７３を介して取り付けられている。この押圧バネ７２の両端側には、ディスクカートリッジ２０２，２２２を押圧支持する押圧部６９，７０が一体に設けられている。
【００７１】
ホルダ１６に保持されたディスクカートリッジ２０２，２２２は、押圧バネ５４，５５及び押圧バネ７２の押圧部６９，７０により各コーナ部を押圧されてベース板１上に構成されたカートリッジ装着部に支持される。
【００７２】
押圧バネ７２には、ホルダ１６に圧接される押圧部７１が設けられている。この押圧バネ７２は、押圧部７１の付勢力により、上ハーフ４４を下ハーフ６２側に付勢する。
【００７３】
上述したように枠体２２に取り付けられ、枠体２２とともに装置本体を構成する下ハーフ６２に収納されるベース板１の上面側には、このディスクプレーヤの記録媒体となるディスクカートリッジ２０２，２２２が装着されるディスクカートリッジ装着部１ａが構成されるとともに、ディスクカートリッジ２０２，２２２に収納された光ディスク２０１又は２２１を回転操作してこれら光ディスク２０１又は２２１に記録されたオーディオ信号等の情報信号の再生を行うディスク再生部が組み込まれる。
【００７４】
すなわち、ベース板１は、ディスク再生部が組み込まれ、下ハーフ６２内に配置される枠体６２に取り付けられることにより、枠体６２とともにプレーヤ本体を構成する。
【００７５】
ベース板１に組み込まれるディスク再生部を更に詳細に説明する。
【００７６】
ベース板１の略々中央部の下面部には、図７に示すように、スピンドルモータ２が、駆動軸を上方側に向けて取り付けられている。このスピンドルモータ２は、駆動軸を２ａをベース板１の略々中央部に設けられた透孔を介してベース板１の上方側に突出させている。スピンドルモータ２の駆動軸２ａには、ディスクテーブル３が取り付けられている。ディスクテーブル３は、合成樹脂の如き材料により略々円盤状に形成され、上面側に光ディスク２０１又は光磁気ディスク２２１の中心部に形成したセンター孔が係合し、光ディスク２０１又は光磁気ディスク２２１をディスクテーブル３に対し芯出しを図って装着させるセンタリング部４が形成されている。また、ディスクテーブル３は、センタリング部４の上端側に金属製のハブ２０７を磁気吸引するためのマグネットが設けられている。このディスクテーブル３は、光ディスク２０１又は光磁気ディスク２２１の中心部分が載置されると、センター孔をセンタリング部４に係合させるとともに、マグネットによりハブ２０７を磁気吸引することにより位置決めを図って保持する。このとき、光ディスク２０１又は光磁気ディスク２２１は、センター孔の中心がスピンドルモータ２の駆動軸２ａの中心軸に一致される。光ディスク２０１又は光磁気ディスク２２１は、スピンドルモータ２が駆動されることによりディスクテーブル３と一体に回転駆動される。
【００７７】
さらに、ベース板１には、光ピックアップ装置１１が取り付けられている。光ピックアップ装置１１は、光学ブロック部を有し、この光学ブロック部内には、光源となるレーザダイオード、フォトトランジスタの如き受光素子、レーザダイオードから出射される光ビームを対物レンズ１２に導く種々の光学デバイスが内蔵されている。して構成されている。この光ピックアップ装置１１は、レーザダイオードから出射される光ビーム対物レンズ１２を介してディスクテーブル３上の光ディスク２０１又は光磁気ディスク２２１の信号記録層に収束して照射する。また、光ピックアップ装置１１は、光ディスク２０１又は光磁気ディスク２２１から反射される光ビームの戻り光を対物レンズ１２及び光学デバイスを介して光学ブロック内に入射し、受光素子により検出することにより光ディスク２０１又は光磁気ディスク２２１に記録されたオーディオ信号等の情報信号の読み出しを行う。
【００７８】
光ピックアップ装置１１は、図７に示すように、スピンドルモータ２の側方に位置して、ベース板１に設けられたガイド軸１３及びガイド片１４に支持され、これらガイド軸１３及びガイド片１４にガイドされてディスクテーブル３上の光ディスク２０１又は光磁気ディスク２２１の径方向に移動操作される。この光ピックアップ装置１１の送り操作は、ベース板１の下面側に取り付けられたピックアップ送りモータ５により行われる。
【００７９】
なお。光ピックアップ装置１１は、ベース板１の下面側に位置し、ベース板１に設けた開口部１１ａを介して対物レンズ１２をベース板１の上方側に臨ませ、ディスクテーブル３上の光ディスク２０１又は光磁気ディスク２２１に対向される。すなわち、光ピックアップ装置１１は、ディスクテーブル３に保持されて回転操作される光ディスク２０１又は光磁気ディスク２２１の径方向に移動操作されることにより、光ビームによって光ディスク２０１又は光磁気ディスク２２１の信号記録面を操作することによって情報信号の読み出しを行う。
【００８０】
ベース板１の上面側に構成されるカートリッジ装着部１ａには、このカートリッジ装着部１ａに装着されるディスクカートリッジ２０２又は２２２の位置決め孔２１１，２１２に係合して、これらディスクカートリッジ２０２又は２２２の水平方向の装着位置を位置決めする一対の位置決めピン６，７が植立されている。また、カートリッジ装着部には、ディスクカートリッジ２０２又は２２２の位置決め孔２１１，２１２が設けられた側と対向する側を支持する一対の高さ位置決め用の一対の高さ位置決め突起が形成されている。
【００８１】
カートリッジ装着部１ａに装着されるディスクカートリッジ２０２又は２２２は、位置決めピン６，７及び高さ位置決め突起に支持されることにより、水平方向及び高さ方向の位置決めが図られる。このとき、ディスクカートリッジ２０２又は２２２に収納された光ディスク２０１又は光磁気ディスク２２１もディスクテーブル３上に位置決めされて保持され、カートリッジ本体２０５の内壁に接触することなく回転可能な状態となる。
【００８２】
ディスクカートリッジ２０２又は２２２がカートリッジ装着部１ａに装着されると、カートリッジ本体２０５によりベース板１上に設けられたカートリッジ装着検出スイッチが押圧操作され、カートリッジ装着部１ａにディスクカートリッジ２０２又は２２２が装着されたことが検出されるとともに、ベース板１上に設けられた識別スイッチにより各識別用穴２２４の状態が検出され、装着されたディスクカートリッジ２０２，２２２の種類の識別が行われる。なお、カートリッジ装着検出スイッチ及び識別スイッチは、第１の回路基板３８に構成された制御回路に接続されている。
【００８３】
ベース板１に回動自在に支持された回動アーム２４，２６に支持され、下ハーフ６２の上面側を開閉する蓋体となる上ハーフ４４が取り付けられるホルダ１６をさらに具体的に説明する。
【００８４】
ホルダ１６は、金属板を折り曲げて形成され、図６及び図７に示すように、ディスクカートリッジ２０２又は２２２が前方側より挿入され、この挿入されたディスクカートリッジ２０２又は２２２を保持し得るように、天板と、この天板の両側より下方側に垂下された左右側壁と、これら各側壁の下端縁より内方側に折り曲げられた支持片１８，１９とを有する。
【００８５】
このホルダ１６に対しディスクカートリッジ２０２又は２２２は、前方側のカートリッジ挿脱口１６ａを介して天板と各側壁に挿入され、各支持片１８，１９により下面側の両側が支持されて、ホルダ１６内に保持される。このとき、ディスクカートリッジ２０２又は２２２は、下面側の略々全面を下方側に臨ませ、中央開口部２０６、開口部２０８，２２８、各位置決め孔２１１，２１２及びディスク識別孔２１３をホルダ１６の下方側に臨ませている。
【００８６】
ホルダ１６の一方の側壁の中途部には、内方側に向かってシャッタ開放操作片が突設されている。このシャッタ開放操作片は、このホルダ１６にディスクカートリッジ２０２又は２２２が挿入されたとき、スライドガイド溝２１０に進入し、シャッタ２０９又は２３０の一側に当接し、ディスクカートリッジ２０２又は２２２がホルダ１６に挿入されていくとき、シャッタ２０９又は２３０をカートリッジ本体２０５に対し相対移動させ、開口部２０８，２２８を開放させる。また、ホルダ１６の一方の側壁の前端側には、図７に示すように、ホルダ１６の内方に膨出するようにしてシャッタ閉塞部材２０が配設されている。このシャッタ閉塞部材２０は、ホルダ１６にディスクカートリッジ２０２又は２２２が挿入されたとき、シャッタ２０９又は２３０の一部に係合し、シャッタ２０９又は２３０を開口部２０８，２２８を開放した位置に保持し、ディスクカートリッジ２０２又は２２２をホルダ１６からイジェクトするとき、カートリッジ本体２０５に対し相対移動させ、シャッタ２０９又は２３０を開口部２０８，２２８を閉塞する位置に移動させる。
【００８７】
上ハーフ４４が取り付けられ、上ハーフ４４とともに回動するホルダ１６は、下ハーフ６２から離間する方向の図６中矢印Ｃ方向に回動されると、前面側のカートリッジ挿脱口１６ａが上ハーフ４４と下ハーフ６２との間に臨む。この状態でカートリッジ挿脱口１６ａを介してディスクカートリッジ２０２又は２２２をホルダ１６に挿入し、ホルダ１６を上ハーフ４４とともに下ハーフ６２側の図６中矢印Ｅ方向に回動すると、ホルダ１６に保持されたディスクカートリッジ２０２又は２２２がベース板１上に構成されたカートリッジ装着部１ａに位置決めされて装着される。カートリッジ装着部１ａに装着されたディスクカートリッジ２０２又は２２２は、上ハーフ４４の内面側に取り付けられた押圧バネ５４，５５及び押圧バネ７２の押圧部６９，７０によりベース板１側に押圧支持される。
【００８８】
そして、カートリッジ装着部１ａが構成されるベース板１の上面側には、ホルダ１６がベース板１側から離間する方向の図６中矢印Ｃ方向に回動されるとき、ホルダ１６に保持されたディスクカートリッジ２０２又は２２２をイジェクトするイジェクトレバー８が設けられている。イジェクトレバー８は、図７に示すように、基端部側を ベース板１に植立した支軸に枢支し、この支軸を中心に回動可能に支持され、図示しないバネにより、先端側がホルダ１６の内方に突出する方向に回動付勢されている。
【００８９】
イジェクトレバー８は、ホルダ１６にディスクカートリッジ２０２又は２２２が挿入されると、このディスクカートリッジ２０２又は２２２に押圧されて、バネの付勢力に抗して回動される。このとき、イジェクトレバー８は、ベース板１の背面側に設けた係合部に係合されカートリッジ装着部１ａの外方に逃がされた位置に保持される。
【００９０】
そして、ディスクカートリッジ２０２又は２２２を保持したホルダ１６がベース板１より離間する図６中矢印Ｃ方向に回動させるときには、イジェクトレバー８は、ベース板１に対する係合が解除され、バネの付勢力を受けてカートリッジ装着部１ａ内に回動され、ディスクカートリッジ２０２又は２２２を押圧しホルダ１６の外方に突出させる。
【００９１】
ところで、上述のように構成されたディスクプレーヤは、図５、図６及び図７に示すように、下ケース６２の背面側の下面を膨出するように電池収納部６６が設けられている。そこで、下ケース６２の下面側を接地面として、図２５に示すように、机上等の所定の載置部Ｐ上に載置すると、上ケース４４の上面が背面側から前面側に向かって傾斜された状態となり、上ケース４４に設けたＬＣＤパネル５２の表示面を操作者側に向けることができ、表示面の表示を見やすくすることができ、さらに、上面側に設けられた複数の操作ボタン４６，４７，４８，４９，５０の操作を行いやすくなる。
【００９２】
次に、本発明が適用されたディスクプレーヤの一連の操作を説明する。
【００９３】
このディスクプレーヤは、停止状態にあって、ホルダ１６にディスクカートリッジ２０２又は２２２が挿入されていないときには、ベース板１上に設けたカートリッジ装着検出スイッチが押圧されていないため、第１の回路基板３８に設けた制御回路は、各操作ボタン４６，４７，４８，４９，５０が操作されてもディスク再生部を駆動させない。このとき、イジェクトレバー８は、バネの付勢力をうけてカートリッジ装着部１ａ内に回動されている。
【００９４】
第１の回路基板３８に設けられる制御回路は、電源の投入が行われると各操作ボタン４６，４７，４８，４９，５０の操作があったか否かを判別する。制御回路は、各操作ボタン４６，４７，４８，４９，５０の操作が行われるとカートリッジ装着検出スイッチが操作されているかを判別し、カートリッジ装着検出スイッチが操作されていることが検出されると、カートリッジ装着部１ａにディスクカートリッジ２０２又は２２２が装着されているものと判断し、次に、上ハーフ４４が下ハーフ６２側に回動され、下ハーフ６２の上面側を閉塞しているか否かを判別する。ここで、制御回路は、上ハーフ４４が下ハーフ６２を閉塞していることを検出すると各操作ボタン４６，４７，４８，４９，５０の操作に応じてディスク再生部を駆動させ、その駆動を制御する。
【００９５】
そして、このディスクプレーヤにディスクカートリッジ２０２又は２２２を装着するには、上ハーフ４４を図６中矢印Ｃ方向に回動しホルダ１６を下ハーフ６２から離間する方向に回動させる。この状態でカートリッジ挿脱口１６ａを介してホルダ１６内にディスクカートリッジ２０２又は２２２に対して前方側よりディスクカートリッジ２２０，２２１を挿入する。ディスクカートリッジ２０２又は２２２をホルダ１６に挿入させたところで、ホルダ１６とともに上ハーフ４４を図６中矢印Ｅ方向の下ハーフ６２側に回動させ、下ハーフ６２の上面側を閉塞すると、ディスクカートリッジ２０２又は２２２がベース番１上のカートリッジ装着部１ａに位置決めして装着される。このとき、カートリッジ装着検出スイッチがディスクカートリッジ２０２又は２２２により押圧され、カートリッジ装着部１ａにディスクカートリッジ２０２又は２２２が装着されたことが検出され、制御回路が各操作ボタン４６，４７，４８，４９，５０による操作を許容しディスク再生部を駆動可能な状態となす。ここで、ディスク再生部が駆動されることにより、ディスクカートリッジ２０２又は２２２に収納された光ディスク２０１，２２１に記録されたオーディオ信号等の情報信号の再生が行われる。
【００９６】
所望の情報信号の再生が完了した後、ディスクカートリッジ２０２又は２２２をイジェクトするには、上ハーフ４４を下ハーフ６２から離間する図６中矢印Ｃ方向に回動し、ホルダ１６をディスク再生部から離間させる。ホルダ１６が図６中矢印Ｃ方向のカートリッジ装着部１ａから離間する方向に回動されると、イジェクトレバー８のベース板１に対する係合が解除され、イジェクトレバー８がバネの付勢力を受けてカートリッジ装着部１ａ側に回動され、ホルダ１６に保持されているディスクカートリッジ２０２又は２２２をカートリッジ挿脱口１６ａ側に押し出し、ディスクカートリッジ２０２又は２２２の一部をホルダ１６から突出させる。ディスクカートリッジ２０２又は２２２は、ホルダ１６から突出された部分を把持し引き抜くことによってホルダ１６からの取り出しが行われる。
【００９７】
上述の説明では、本発明をディスクカートリッジ２０２又は２２２を記録媒体に用いるディスクプレーヤに提供した例を挙げて説明したが、光ディスク等の記録媒体に情報信号の記録を可能となすディスク記録再生装置や、磁気テープを記録媒体に用いるレコードプレーヤやビデオテープレコーダ、ビデオカメラ等の電子機器に適用し、上述したディスクプレーヤと同様の利点を得ることができる。
【００９８】
さらに、本発明は、ラジオ受信機等の携帯して用いられる電子機器に適用し、上述と同様の利点を得ることができる。
【図面の簡単な説明】
【００９９】
【図１】本発明が適用されたディスクプレーヤに用いられる再生専用のディスクカートリッジを上面側から見た斜視図である。
【図２】上記ディスクカートリッジを下面側から見た斜視図である。
【図３】本発明が適用されたディスクプレーヤに用いられる記録再生型のディスクカートリッジを上面側から見た斜視図である。
【図４】上記ディスクカートリッジを下面側から見た斜視図である。
【図５】本発明が適用された電子機器であるディスクプレーヤを示す斜視図である。
【図６】ディスクカートリッジ及び二次電池の挿脱を行う状態を示すディスクプレーヤの斜視図である。
【図７】本発明に係るディスクプレーヤの分解斜視図である。
【図８】装置本体を構成する下ハーフの背面図である。
【図９】下ハーフの内部を示す平面図である。
【図１０】下ハーフの正面図である。
【図１１】装置本体を構成する帯状の部材の平面図である。
【図１２】帯状の部材の正面図である。
【図１３】装置本体を構成する枠体の平面図である。
【図１４】枠体に回動アームを取り付けた状態を示す右側面図である。
【図１５】枠体に回動アームを取り付けた状態を示す左側面図である。
【図１６】枠体の正面図である。
【図１７】下ハーフ、帯状の部材及び上ハーフを互いに突き合わせ筐体を構成した状態を示す断面図である。
【図１８】枠体と回動レバーとの関係を示す要部平面図である。
【図１９】ＬＣＤパネルを支持するシールド板を示す平面図である。
【図２０】上ハーフの平面図である。
【図２１】上ハーフの内部を示す底面図である。
【図２２】シールド板、アース用板金及びディスクカートリッジが接地される状態を示す縦断面図である。
【図２３】シールド板に取り付けられる導電板を示す平面図である。
【図２４】ディスクプレーヤの接地構造を示すブロック図である。
【図２５】本発明に係るディスクプレーヤを設置部上に載置した状態を示す斜視図である。
【符号の説明】
【０１００】
１６ ホルダ、 ２２ 枠体、 ２４，２６ 回動アーム、 ３２ 帯状の部材、 ３８ 第１の回路基板、 ４４ 上ハーフ、 ５１ シールド板 ５２ＬＣＤパネル、 ５３ 第２の回路基板、 ６２ 下ハーフ、 ６６ 電池収納部、 ６８ 二次電池、 １３８ 導電板。
【図１】
2008243369.tif 000003
【図２】
2008243369.tif 000004
【図３】
2008243369.tif 000005
【図４】
2008243369.tif 000006
【図５】
2008243369.tif 000007
【図６】
2008243369.tif 000008
【図７】
2008243369.tif 000009
【図８】
2008243369.tif 000010
【図９】
2008243369.tif 000011
【図１０】
2008243369.tif 000012
【図１１】
2008243369.tif 000013
【図１２】
2008243369.tif 000014
【図１３】
2008243369.tif 000015
【図１４】
2008243369.tif 000016
【図１５】
2008243369.tif 000017
【図１６】
2008243369.tif 000018
【図１７】
2008243369.tif 000019
【図１８】
2008243369.tif 000020
【図１９】
2008243369.tif 000021
【図２０】
2008243369.tif 000022
【図２１】
2008243369.tif 000023
【図２２】
2008243369.tif 000024
【図２３】
2008243369.tif 000025
【図２４】
2008243369.tif 000026
【図２５】
2008243369.tif 000027